(57)【特許請求の範囲】
【請求項１】
水平方向に連続して設けられた第１面と第２面とが重なるように折り畳み可能なシート状の小便器と、
前記小便器に対して前記水平方向に交わる垂直方向に連続して設けられ、前記垂直方向に延在する取付部とを含み、
前記取付部は前記小便器に対して折り曲げ可能であり、折り畳まれた前記第１面と第２面とは前記水平方向に広げられたとき漏斗状部を構成する、折畳式小便器。
【請求項２】
前記第１面と第２面とは、前記第１面と第２面とが重なるように折り畳まれたとき、前記水平方向に延在する下辺部と、前記垂直方向に延在する第1垂直辺とを有し、
前記下辺部と前記第１垂直辺とは６０〜１００°の角度をなす、請求項１に記載の折畳式小便器。
【請求項３】
前記第１面と第２面とが重なるように折り畳まれたとき、前記下辺部と前記第１垂直辺との交わる部分には開口部が設けられ、
前記開口部には複数の切れ目が設けられている、請求項２に記載の折畳式小便器。
【請求項４】
小便器を取付ける掛着部を有する簡易トイレであって、
前記小便器は、
水平方向に連続して設けられた第１面と第２面とが重なるように折り畳み可能なシート状であり、
前記小便器に対して前記水平方向に交わる垂直方向に連続して設けられ、前記垂直方向に延在する取付部とを含み、
前記取付部は前記小便器に対して折り曲げることが可能であり、折り畳まれた前記第１面と第２面とは、前記水平方向に広げられたとき漏斗状部を構成する、簡易トイレ。
【発明の詳細な説明】
【技術分野】
【０００１】
この発明は折畳式小便器に関し、特に、収納が容易な折畳式小便器に関する。
【背景技術】
【０００２】
従来、組立式の簡易な小便器セットがたとえば、特開２００７-２０２７５５号公報（特許文献１）に開示されている。特許文献１によれば、組立式の簡易な小便器セットは、それぞれが段ボールにより構成された、相互に直交するように配置可能な側壁と板状体Ａと、側壁となる板状体に対して小便器を支持するための支持部となる板状体Ｂと、板状体Ｂに対して取付けられる小便受体Ｃとをからなる。ここで小便受体Ｃは、平面形状が団扇型であり幅方向中央部に谷折可能な中央折り目線が設けられ、左右下方斜辺の一方に、板状体Ｂに小便受体Ｃを取付けるためののり代が設けられている。
【先行技術文献】
【特許文献】
【０００３】
【特許文献１】特開２００７-２０２７５５号公報
【発明の概要】
【発明が解決しようとする課題】
【０００４】
従来の組立式の簡易な小便器セットは上記のように構成されていた。小便受体は段ボールで構成され、折り畳んで保管可能であるため、収納は容易であった。しかしながら、従来の小便受体はのり代を用いて板状体Ｂに接着する必要があり、小便器の取付が煩雑であるという問題があった。
【０００５】
この発明は上記のような問題点を解消するためになされたもので、組立式の簡易トイレ等に取り付ける際に、容易に取り付けが可能な折畳式小便器を提供することを目的とする。
【課題を解決するための手段】
【０００６】
この発明に係る折畳式小便器は、水平方向に連続して設けられた第１面と第２面とが重なるように折り畳み可能なシート状の小便器と、小便器に対して水平方向に交わる垂直方向に連続して設けられ、垂直方向に延在する取付部とを含み、取付部は小便器に対して折り曲げ可能であり、折り畳まれた第１面と第２面とは水平方向に広げられたとき漏斗状部を構成する。
【０００７】
好ましくは、第１面と第２面とは、第１面と第２面とが重なるように折り畳まれたとき、水平方向に延在する下辺部と、垂直方向に延在する第1垂直辺とを有し、下辺部と第１垂直辺とは６０〜１００°の角度をなす。
【０００８】
第１面と第２面とが重なるように折り畳まれたとき、下辺部と第１垂直辺との交わる部分には開口部が設けられ、開口部には複数の切れ目が設けられている。
【０００９】
この発明の他の曲面は小便器を取付ける掛着部を有する簡易トイレである。
小便器は、水平方向に連続して設けられた第１面と第２面とが重なるように折り畳み可能なシート状であり、小便器に対して水平方向に交わる垂直方向に連続して設けられ、垂直方向に延在する取付部とを含み、取付部は小便器に対して折り曲げることが可能であり、折り畳まれた前記第１面と第２面とは、水平方向に広げられたとき漏斗状部を構成する。
【発明の効果】
【００１０】
この発明に係る折畳式小便器は、シート状であり、通常は折り畳まれており使用時にのみ広げられるため、軽量であり、保管が容易である。
【００１１】
その結果、軽くて低コストで、かつ、保管の容易な小便器を提供できる。
【図面の簡単な説明】
【００１２】
【図１】組立式トイレの便器の取付状態を示す図である。
【図２】図１においてＩＩ-ＩＩで示す部分の断面図である。
【図３】折畳式小便器の折畳んだ状態を示す図である。
【図４】折畳式小便器の拡げた状態を示す図である。
【図５】折畳式小便器の排出部の詳細を示す図である。
【図６】折畳式小便器の下部に設けられる小便排出部の詳細を示す図である。
【図７】他の実施の形態に係る屏風型トイレの使用状態を示す図である。
【図８】他の実施の形態に係る掛着部を示す斜視図である。
【発明を実施するための形態】
【００１３】
以下、この発明の一実施の形態を、図面を参照して説明する。図１はこの実施の形態における組立式トイレの便器の取付状態を示す斜視図であり、図２は図１において、矢印ＩＩ-ＩＩで示す部分の断面図である。図１および図２を参照して、組立式トイレ１０は、段ボールで構成され、相互に折畳可能に接続された３枚の壁部材１１ａ〜１１ｃと、中央の壁部材１１ｂのほぼ中央部に取付けられた掛着部１２と、掛着部１２に取付けられた小便器２０と、小便器２０の下部に設けられ、小便器２０から排出された小便や洗浄水を外部に排出するためのカウス（漏斗）付排水ホース３０とを含む。
【００１４】
ここで、壁部材１１ａ〜１１ｃと、小便器２０と、カウス付排水ホース３０とは相互に着脱自在の個別の部品であり、普段は折畳まれて倉庫等に保管が可能であり、必要な時に、倉庫から搬出されて、現場で組立てが可能である。なお、掛着部１２は、壁部材１１ｂに一体的に取付けられているが、別体として、壁部材１１ａ〜１１ｃの組立後に取付けてもよい。
【００１５】
掛着部１２は、金属、段ボール又は樹脂で構成された直方体状、又は、直方体の両側に突起のでたもの、又は、組立式トイレ１０の壁部材１１ｂに装着されると溝が形成されるものであり、上部の一面に長手方向に溝１３が設けられている。
【００１６】
小便器２０は折畳が可能である。これについては後述する。カウス付排水ホース３０は小便器２０の下部に位置するように取付部材３５によって固定されるカウス３１と、カウス３１の下部に接続された柔軟性を有する排出ホース部３２とを含む。
【００１７】
次に小便器２０について説明する。小便器２０は樹脂や紙で形成されたシート状であり、折畳可能である。その折畳まれた状態を図３に示す。図３を参照して、小便器２０は折畳まれた状態では、本体部２１を構成する第１面２１ａと第２面２１ｂとは同じ形状を有し、ほぼ矩形状である。すなわち、小便器２０は、第１面２１ａと第２面２１ｂとを有し、小便を受ける本体部２１と、本体部２１の上部に設けられ、小便器２０を掛着部１２に取付けるための矩形状の取付部２２（図中斜線で示す）とを含む。本体部２１は垂直方向に延在する第１垂直辺２４と、取付部２２と接続される上部辺２５と、上部辺の右方向に設けられた弧状部分２６と弧状部分の下側に垂直方向に延在する第２垂直辺２７と、第２垂直辺の下端部から第１垂直辺の下端部に延在する下辺部２８と、下辺部２８と第１垂直辺２４との交点部分に設けられた開口部２９とを含む。
【００１８】
ここで、上面部２１ａと下面部２１ｂとは、１垂直辺２４と下辺部２８とは接続されているが、それ以外の辺では分離されている。
【００１９】
また、小便器の概略寸法としては以下が好ましい。第１垂直辺２４は約５００ｍｍ、上部辺２５は１５０ｍｍ、弧状部分２６はＲ１８０ｍｍ、第１垂直辺２４の下端部と第２垂直辺の下端部との垂直方向の差は約４０ｍｍ、下辺部２８の水平方向となす角度は６０°〜１００°である。なお、好ましくは、７５°〜９５°、より好ましくは８０°〜９０°である。
【００２０】
小便器２０を奥側において横方向に広げたときに、６０°より小さくなると小便器の奥行きが小さくなり、１００°より大きくなると、下辺部２８が水平方向より下向きになり、漏斗の意味をなさなくなる。
【００２１】
また、開口部２９の水平方向の開口長さは約１０ｍｍである。
【００２２】
図３に示した折畳式の小便器２０を展開した状態等を図４に示す。図４（Ａ）は小便器
器２０を展開した状態を示す図であり、図４（Ｂ）は小便器２０の第１面２１ａと第２面２１ｂとの接続部の断面図である。
【００２３】
図４（Ａ）に示すように、第１面２１ａと第２面２１ｂとを展開すると、第１垂直辺２４を中心として本体部２１の上面部２１ａと下面部２１ｂとが左右（「水平方向」という）に位置する。本体部２１の上部（「垂直方向」という）に取付部２２が矩形状に立ち上がる。この状態で、矩形状に立ち上がった取付部２２を反対側（図面において裏側）に折り返すことにより（図中一点鎖線で示す）、反対側において取付部２２が横方向に延在し、小便器２０を奥側において横方向に広げ、手前側が三角形状にとんがった立体形状が得られる。
【００２４】
なお、取付部２２を反対側に折り返すことによってこのような形状を得るには、小便器を構成する樹脂の厚さは０．１〜０．５ｍｍが好ましい。さらに好ましくは、０．２〜０．４５ｍｍ、最も好ましくは、０．２５〜０．３５ｍｍである。
【００２５】
０．１ｍｍよりも薄くなると形状が不安定になり、０．５ｍｍより厚くすると広がりにくくなる。
【００２６】
また、本体部２１の第１面２１ａと第２面２１ｂとが折り目となる第１垂直辺２４によって接続されているが、この折り目の厚さは小便器を構成する樹脂の厚さの約３０〜７０％好ましい。
【００２７】
また、下辺部２８においては、第１面２１ａと第２面２１ｂとのいずれか一方が他方の上に重なり、その部分に熱をかけて溶着されているのが好ましい。図４（Ｂ）に示した例では、第１面２１ａが延長部を有し、それが第２面２１ｂの上に重なり、その部分に熱をかけた溶着部２１ｃが形成されている。
【００２８】
次に、開口部２９について説明する。図５は図３において矢印Ｖで示した開口部２９の詳細を示す図である。図５を参照して、開口部２９は、第１垂直辺２４と下辺部２８とが交わる部分において水平方向に１０ｍｍ、第１垂直辺２４をその下端部から５ｍｍの寸法を有する。なお、この形状は、第１垂直辺２４と下辺部２８との交点を中心とした円弧状であってもよい。
【００２９】
また、開口部２９の上部には放射状に切れ目３６が設けられている。この放射状の切れ目３６によって、小便器２０からの尿の排出時において、尿や洗浄水が飛び散ることなくスムーズにカウス付排水ホース３０に排出される。この切れ目の寸法は、図示のように、５〜５０ｍｍである。好ましくは、７〜４０ｍｍであり、さらに好ましくは、１０〜２５ｍｍである。１０ｍｍより少なくすると、尿の排出時に２１ａ，２１ｂの壁面に沿い真下に流れ難い。５０ｍｍを超えると切れ目の強度がなくなり壁面に沿い真下に流れ難い。
【００３０】
次に、カウス付排水ホース３０の詳細について説明する。図６はカウス付排水ホース３０の詳細を示す図である。図６を参照して、カウス付排水ホース３０は、漏斗状のカウス３１とその下部に連続して設けられた蛇腹状の排出ホース部３２とを含み、排出ホース部３２は途中で一度回転するように配置され、それによって、水がたまる部分３３（図中斜線で示す）を形成して、下水道からのにおいを防ぐ。なお、このとき、排出ホース部３２の２か所を結束バンド３４などで結束するだけでこの構成を得ることができる。
【００３１】
次に、この発明の他の実施の形態について説明する。上記実施の形態においては、段ボールで形成された３面を有する壁部材に折畳式小便器２０を取付ける場合について説明したが、これに限らず、この実施の形態においては、直交して配置される相互に接続された２枚の壁部材からなる屏風型トイレに折畳式小便器２０を設置する場合について説明する。
【００３２】
図７はこの場合のおける屏風型トイレ４０を示す図である。図７（Ａ）は屏風型トイレ４０の平面図であり、図７（Ｂ）は図７（Ａ）において、ＶＩＩＢ-ＶＩＩＢで示す部分の矢視図であり、図７（Ｃ）は図７（Ａ）において、ＶＩＩＣ-ＶＩＩＣで示す部分の矢視図である。図７（Ａ）〜（Ｃ）を参照して、屏風型トイレ４０は、段ボールで構成され、相互に折畳可能に接続された２枚の壁部材４１ａ，４１ｂと、２つの壁部材４１ａ，４１ｂを接続するように設けられた接続部４２と、接続部４２に取付けられた小便器２０とを含む。なお、ここでは、小便器２０の下部に設けられるカウス付排水ホースの図示を省略している。なお、先の実施の形態も同様に、開口部４５を開きカウス付排水ホース３０の代わりに貯留式のタンクを設けてもよい。
【００３３】
図７に示すように、接続部４２は矩形状の平板部４２ｅと平板部４２ｅの上下左右の４か所に設けられた取付部４２ａ〜４２ｄとを含む。一方、２枚の壁部材４１ａ，４１ｂは取付部４２ａ〜４２ｄを受入れるスリット４３ａ〜４３ｄを有している。
【００３４】
ここで、壁部材４１ａ、４１ｂｃと、接続部４２と、小便器２０とは相互に着脱自在の個別の部品であり、普段は折畳まれて倉庫等に保管が可能であり、必要な時に、倉庫から搬出されて、現場で組立てが可能であるという点は先の実施の形態と同じである。なお図７においては図示されていない掛着部１２やカウス付排水ホース３０の取付部材３５は、図８に示すように接続部４２に取付けられている。また、ここで使用される掛着部１２は、金属、段ボール又は樹脂で構成された直方体状であり、上部の一面に長手方向に溝１３が設けられており、その溝１３に折畳式小便器２０が取り付けられるという点も同じである。
【００３５】
なお、上記実施の形態においては、折畳式小便器の矩形状に立ち上がった取付部を反対側に折り返し、その部分を掛着部と壁部材によって形成される溝に掛着することにより小便器を取付けたが、これに限らず、取付部に貫通孔を複数設け、壁部材にこの貫通孔を支持する掛着用の、フック状の支持部を設けて、この支持部によって小便器を取付けるようにしてもよい。
【００３６】
さらに、図４（Ａ）に示す状態において、小便器の上下面部２１ａ，２１ｂのそれぞれの裏面側に、上下方向に延在する舌状片を溶着等で設け、この舌状片を取付部の代わりに掛着部に挿入するようにして、小便器を掛着部に取付けてもよい。
【００３７】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００３８】
この発明においては、組立式の簡易トイレに取り付ける際に、容易に取り付けが可能な折畳式小便器を提供できるため、折畳式小便器として有利に利用される。
【符号の説明】
【００３９】
１０  組立式トイレ、１１ａ〜１１ｃ  壁部材、１２  掛着部、１３  溝、２０  小便器、２１  本体部、２２  取付部２２、２４  第１垂直辺、２５  上部辺、２６  弧状部分、２７  第２垂直辺、２８  下辺部、２９  開口部、３０  カウス付排水ホース、３１  カウス、３２  排水ホース部、３４  結束バンド、３５  取付部材、３６  切れ目。
【図１】
0005982604.tif 000002
【図２】
0005982604.tif 000003
【図３】
0005982604.tif 000004
【図４】
0005982604.tif 000005
【図５】
0005982604.tif 000006
【図６】
0005982604.tif 000007
【図７】
0005982604.tif 000008
【図８】
0005982604.tif 000009